(57)【要約】【課題】  必要な状況に応じて、ジャッキが上構造体を支持する状態から、免震装置が上構造体を支持する状態に切り替えることができるジャッキ制御装置を提供する。【解決手段】  ジャッキ制御装置は、上構造体と下構造体との間に配置されるジャッキの内部から圧力媒体を流出させるために、圧力媒体が内部を流れる少なくとも一つの弁と、所定の情報を取得した際に、ジャッキの内部から圧力媒体が流出するように、弁を制御する制御装置と、を備える。【選択図】  図２
2018131322.tif 000002
【特許請求の範囲】
【請求項１】
上構造体と下構造体との間に配置されるジャッキの内部から圧力媒体を流出させるために、前記圧力媒体が内部を流れる少なくとも一つの弁と、
所定の情報を取得した際に、前記ジャッキの内部から前記圧力媒体が流出するように、前記弁を制御する制御装置と、を備える、ジャッキ制御装置。
【請求項２】
前記制御装置は、前記情報の種類に対応して、前記圧力媒体が流れる流路の有効開口面積を変更するように、前記弁を制御する、請求項１に記載のジャッキ制御装置。
【請求項３】
前記弁は、複数備えられると共に、前記ジャッキの内部に対して並列に接続され、
前記制御装置は、前記情報の種類に対応して、複数の前記弁のうち、開放する弁を選択する、請求項２に記載のジャッキ制御装置。
【請求項４】
前記ジャッキの内部から前記圧力媒体を流出させる際に、前記圧力媒体が内部を流れる流路部と、前記流路部が着脱される本体と、を備える、請求項１〜３の何れか１項に記載のジャッキ制御装置。
【発明の詳細な説明】
【技術分野】
【０００１】
本発明は、上構造体と下構造体との間に配置されるジャッキを制御するジャッキ制御装置に関する。
【背景技術】
【０００２】
従来、免震装置として、上構造体と下構造体との間に配置される免震装置が、知られている（例えば、特許文献１）。そして、免震装置を交換する際に、上構造体と下構造体との間にジャッキが配置され、上構造体がジャッキアップされたジャッキに支持されている。ところで、例えば、地震等が発生した場合には、ジャッキが上構造体を支持するよりも、免震装置が上構造体を支持した方が好ましい。
【先行技術文献】
【特許文献】
【０００３】
【特許文献１】特開２０１５−１９４０７７号公報
【発明の概要】
【発明が解決しようとする課題】
【０００４】
そこで、課題は、必要な状況に応じて、ジャッキが上構造体を支持する状態から、免震装置が上構造体を支持する状態に切り替えることができるジャッキ制御装置を提供することである。
【課題を解決するための手段】
【０００５】
ジャッキ制御装置は、上構造体と下構造体との間に配置されるジャッキの内部から圧力媒体を流出させるために、前記圧力媒体が内部を流れる少なくとも一つの弁と、所定の情報を取得した際に、前記ジャッキの内部から前記圧力媒体が流出するように、前記弁を制御する制御装置と、を備える。
【０００６】
また、ジャッキ制御装置においては、前記制御装置は、前記情報の種類に対応して、前記圧力媒体が流れる流路の有効開口面積を変更するように、前記弁を制御する、という構成でもよい。
【０００７】
また、ジャッキ制御装置においては、前記弁は、複数備えられると共に、前記ジャッキの内部に対して並列に接続され、前記制御装置は、前記情報の種類に対応して、複数の前記弁のうち、開放する弁を選択する、という構成でもよい。
【０００８】
また、ジャッキ制御装置は、前記ジャッキの内部から前記圧力媒体を流出させる際に、前記圧力媒体が内部を流れる流路部と、前記流路部が着脱される本体と、を備える、という構成でもよい。
【発明の効果】
【０００９】
以上の如く、ジャッキ制御装置は、必要な状況に応じて、ジャッキが上構造体を支持する状態から、免震装置が上構造体を支持する状態に切り替えることができる、という優れた効果を奏する。
【図面の簡単な説明】
【００１０】
【図１】図１は、一実施形態に係るジャッキシステムの全体概要図である。
【図２】図２は、同実施形態に係るジャッキ制御装置の全体概要図である。
【図３】図３は、同実施形態に係るジャッキ制御装置の制御ブロック図である。
【図４】図４は、同実施形態に係るジャッキ制御装置の制御フロー図である。
【図５】図５は、他の実施形態に係るジャッキ制御装置の要部概要図である。
【図６】図６は、さらに他の実施形態に係るジャッキ制御装置の要部概要図である。
【発明を実施するための形態】
【００１１】
以下、ジャッキ制御装置及びジャッキシステムにおける一実施形態について、図１〜図４を参酌して説明する。なお、各図（図５及び図６も同様）において、図面の寸法比と実際の寸法比とは、必ずしも一致しておらず、また、各図面の間での寸法比も、必ずしも一致していない。
【００１２】
ここで、ジャッキシステムの各構成を説明するのに先立って、建物について説明する。図１に示すように、建物２０は、上下方向で離間する上構造体２１及び下構造体２２と、上構造体２１と下構造体２２との間に配置される複数の免震装置２３とを備えている。なお、図１においては、中央の免震装置２３が、交換されるために、建物２０との固定を解除されている。
【００１３】
上構造体２１は、免震装置２３に接する上躯体２１ａと、各上躯体２１ａの上部を連結する構造本体２１ｂとを備えている。本実施形態においては、各上躯体２１ａは、柱であり、構造本体２１ｂは、長尺に延びる梁である。なお、上構造体２１は、斯かる構成に限られない。
【００１４】
下構造体２２は、免震装置２３に接する下躯体２２ａと、各下躯体２２ａの下部を連結する構造本体２２ｂとを備えている。本実施形態においては、各下躯体２２ａは、基礎柱であり、構造本体２２ｂは、平面状に広がる基礎である。なお、下構造体２２は、斯かる構成に限られない。
【００１５】
ジャッキシステム１００は、上躯体２１ａと下躯体２２ａとの間に配置される複数のジャッキ１０と、ジャッキ１０を駆動させる複数のジャッキ駆動装置１１とを備えている。また、ジャッキシステム１００は、ジャッキ駆動装置１１に情報を送信する送信装置１２を備えている。
【００１６】
本実施形態においては、ジャッキ１０は、一つの上躯体２１ａ及び下躯体２２ａ間に複数（例えば、２〜６つ）配置されている。そして、ジャッキ駆動装置１１は、一つの上躯体２１ａ及び下躯体２２ａ間に配置される複数のジャッキ１０に対して一つ備えられ、当該複数のジャッキ１０を群として、一括して駆動している。
【００１７】
なお、ジャッキ駆動装置１１は、一つのジャッキ１０に対して一つ備えられていてもよい。また、ジャッキ駆動装置１１は、複数の上躯体２１ａ及び下躯体２２ａ間に配置される複数のジャッキ１０に対して一つ備えられ、当該複数のジャッキ１０を群として、一括して駆動してもよい。
【００１８】
図２に示すように、ジャッキ１０は、ジャッキ本体１０ａと、ジャッキ本体１０ａに対して移動可能な可動体１０ｂとを備えている。そして、ジャッキ１０の内部に圧力媒体が流出入されることで、可動体１０ｂがジャッキ本体１０ａに対して上下方向に可動する。
【００１９】
具体的には、ジャッキ本体１０ａの内部に圧力媒体が流入されることで、可動体１０ｂがジャッキ本体１０ａに対して上昇し、反対に、ジャッキ本体１０ａの内部から圧力媒体が流出されることで、可動体１０ｂがジャッキ本体１０ａに対して下降する。本実施形態においては、ジャッキ１０は、圧力媒体を油とした油圧ジャッキとしている。なお、ジャッキ１０は、圧力媒体を他の液体又は気体としたジャッキとしてもよい。
【００２０】
ジャッキ駆動装置１１は、ジャッキ１０の内部に圧力媒体を流出入する流出入部１３と、流出入部１３を経由して、ジャッキ１０の内部に圧力媒体を流入する流入部１４と、流出入部１３を経由して、ジャッキ１０の内部から圧力媒体を流出する流出部１５とを備えている。また、ジャッキ駆動装置１１は、流入部１４及び流出部１５に接続される圧力媒体用のタンク１６を備えている。なお、タンク１６は、大気に開放されている。
【００２１】
流入部１４は、タンク１６内の圧力媒体をジャッキ１０の内部に向けて送るポンプ１４ａと、ジャッキ１０からポンプ１４ａに向けて圧力媒体が逆流することを防止する逆止弁１４ｂとを備えている。流出部１５は、例えば手動で開閉できる流出弁１５ａを備えている。
【００２２】
これにより、ポンプ１４ａがジャッキ１０に向けて圧力媒体を送ることで、ジャッキ１０がジャッキアップ（可動体１０ｂが上昇）する。そして、逆止弁１４ｂが圧力媒体の逆流を防止しているため、可動体１０ｂが上昇した位置で保持される。一方、流出弁１５ａが開放されることで、ジャッキ１０からタンク１６に向けて圧力媒体が流れるため、ジャッキ１０がジャッキダウン（可動体１０ｂが下降）する。
【００２３】
なお、本実施形態においては、流出入部１３が備えられており、ジャッキ１０への圧力媒体の流入及びジャッキ１０からの圧力媒体の流出を兼ねる単動式であるが、斯かる構成に限られない。例えば、ジャッキ１０に圧力媒体を流入する流入部１４と、ジャッキ１０からの圧力媒体を流出する流出部１５とが個別にそれぞれジャッキ１０に接続される複動式であってもよい。
【００２４】
ところで、ジャッキ駆動装置１１は、流出部１５とは別に、送信装置１２から所定の情報を取得した際に、ジャッキ１０をジャッキダウンさせるジャッキ制御装置１を備えている。ジャッキ制御装置１は、ジャッキ１０の内部から圧力媒体を流出させるために開放される複数の弁２ａ〜２ｃを有する弁装置２と、弁装置２を制御する制御装置３とを備えている。
【００２５】
ジャッキ制御装置１は、流出入部１３と弁装置２とを接続する第１接続部４と、流出部１５と弁装置２とを接続する第２接続部５とを備えている。これにより、ジャッキ１０の内部は、流出入部１３、弁装置２、及び流出部１５を経由して、タンク１６と連通することが可能となる。そして、弁装置２は、ジャッキ１０の内部に対して、流出弁１５ａと並列に接続されている。
【００２６】
弁装置２は、第１接続部４からの圧力媒体を第１〜第３経路２ｄ〜２ｆに分岐させる分岐部２ｇと、第１〜第３経路２ｄ〜２ｆからの圧力媒体を第２接続部５に向けて合流させる合流部２ｈとを備えている。これにより、第１〜第３経路２ｄ〜２ｆは、ジャッキ１０の内部に対して、並列に接続されている。
【００２７】
なお、各経路２ｄ〜２ｆは、弁２ａ〜２ｃと、弁２ａ〜２ｃが開放された際に、圧力媒体が内部を流れる流路部２ｉ〜２ｋとを備えている。したがって、第１〜第３弁２ａ〜２ｃは、ジャッキ１０の内部に対して、並列に接続されており、また、第１〜第３流路部２ｉ〜２ｋは、ジャッキ１０の内部に対して、並列に接続されている。
【００２８】
ところで、第１〜第３流路部２ｉ〜２ｋの有効開口面積は、それぞれ異なっている。これにより、開放される弁２ａ〜２ｃにより、ジャッキ１０の内部から圧力媒体が流出する速度を変更することができるため、ジャッキ１０のジャッキダウンの速度を変更することができる。
【００２９】
本実施形態においては、第１流路部２ｉ、第２流路部２ｊ、第３流路部２ｋの順で、有効開口面積が小さくなっている。したがって、第１弁２ａが開放されると、ジャッキ１０は、低速でジャッキダウンし、第２弁２ｂが開放されると、ジャッキ１０は、中速でジャッキダウンし、第３弁２ｃが開放されると、ジャッキ１０は、高速でジャッキダウンする。
【００３０】
そして、弁装置２は、第１〜第３流路部２ｉ〜２ｋを収容する本体２ｌを備えており、第１〜第３流路部２ｉ〜２ｋは、本体２ｌに着脱可能に構成されている。これにより、適切な有効開口面積を有する流路部２ｉ〜２ｋを本体２ｌに装着することで、所望の速度でジャッキ１０をジャッキダウンさせることができる。
【００３１】
なお、本実施形態においては、第１〜第３経路２ｄ〜２ｆの有効開口面積は、第１〜第３流路部２ｉ〜２ｋの有効開口面積で決まっている。したがって、例えば、ジャッキ１０にかかる荷重、ジャッキ１０の圧力媒体に接する断面積から、第１〜第３流路部２ｉ〜２ｋの有効開口面積を算出することで、所望の速度でジャッキ１０をジャッキダウンさせることができる。
【００３２】
さらに、第１〜第３弁２ａ〜２ｃは、全閉と全開との二つの状態のみの間で切り替えられる弁である。したがって、第１〜第３弁２ａ〜２ｃが開放された際に、圧力媒体が流れる流路（第１〜第３経路２ｄ〜２ｆ）の有効開口面積は、第１〜第３流路部２ｉ〜２ｋの有効開口面積で一定となる。したがって、所望の速度でジャッキ１０をジャッキダウンさせる信頼性を、向上させることができている。
【００３３】
図３に示すように、送信装置１２は、地震が発生したことを検出する地震検出器１２ａと、地震が発生する旨の地震速報情報を受信する地震速報受信器１２ｂとを備えている。また、送信装置１２は、人手により操作される操作部１２ｃを備えている。
【００３４】
地震検出器１２ａは、設置されている位置の揺れを検出する揺れ検出センサでもよく、また、設置されている位置が基準位置に対して変位する変位検出センサでもよい。そして、地震検出器１２ａは、所定以上の揺れや所定以上の変位を検出した場合に、制御装置３に対して「地震検出信号」を送信する。
【００３５】
地震速報受信器１２ｂは、例えば、気象庁から発信される地震速報情報を受信し、設置されている位置で地震が発生する時間とその震度を演算する。例えば、地震速報受信器１２ｂは、制御装置３に対して、所定以上の震度の地震が発生する際に「地震速報信号」を送信し、当該地震が発生１０秒前である際に「地震発生１０秒前信号」を送信し、当該地震が発生２秒前である際に「地震発生２秒前信号」を送信する。
【００３６】
なお、地震速報受信器１２ｂは、「地震速報信号」を送信する際に、当該地震が発生１０秒前を既に過ぎている際には、制御装置３に対して、「地震速報信号」と「地震発生１０秒前信号」とを同時に送信する。また、地震速報受信器１２ｂは、「地震速報信号」を送信する際に、当該地震が発生２秒前を既に過ぎている際には、制御装置３に対して、「地震速報信号」と「地震発生１０秒前信号」と「地震発生２秒前信号」とを同時に送信する。
【００３７】
操作部１２ｃは、例えば、押しスイッチや回転スイッチ等である。そして、操作部１２ｃは、例えば何か異常な状態が発生した場合にジャッキ１０をジャッキダウンしたい場合に、人手により操作される。そして、操作部１２ｃは、人手により操作されることで、制御装置３に対して、「操作信号」を送信する。
【００３８】
制御装置３は、送信装置１２から送信された情報を受信して取得する取得部３ａと、各種情報を記憶する記憶部３ｂとを備えている。また、制御装置３は、取得部３ａで取得した情報と記憶部３ｂに記憶されている情報とに基づいて、演算する演算部３ｃと、演算部３ｃが演算した結果に基づいて、第１〜第３弁２ａ〜２ｃを制御する制御部３ｄとを備えている。
【００３９】
演算部３ｃは、取得部３ａで取得した情報の種類に対応して、第１〜第３弁２ａ〜２ｃのうち、開放する弁２ａ〜２ｃを選択する。例えば、取得部３ａが緊急性の高い情報を取得した場合は、演算部３ｃは、開放する弁として、第３弁２ｃを選択し、制御部３ｄは、第３弁２ｃを開放することで、ジャッキ１０を高速でジャッキダウンさせる。なお、建物２０にダメージを与えることを抑制するために、制御装置３は、ジャッキ１０を可能な限り低速でジャッキダウンさせる。
【００４０】
本実施形態に係るジャッキシステム１００の構成については以上の通りであり、次に、本実施形態に係るジャッキ制御装置１の制御方法について、図４を参酌して説明する。
【００４１】
図４に示すように、制御装置３が地震検出器１２ａから「地震検出信号」を受信していない場合には（Ｓ１の「Ｎ」）、ステップ２に進む。一方、制御装置３が「地震検出信号」を受信した場合には（Ｓ１の「Ｙ」）、制御装置３は、第３弁２ｃを開放し、ジャッキ１０を高速でジャッキダウンさせる（Ｓ１０）。
【００４２】
ステップ２においては、制御装置３が操作部１２ｃから「操作信号」を受信していない場合には（Ｓ２の「Ｎ」）、ステップ３に進む。一方、制御装置３が「操作信号」を受信した場合には（Ｓ２の「Ｙ」）、制御装置３は、第３弁２ｃを開放し、ジャッキ１０を高速でジャッキダウンさせる（Ｓ１０）。
【００４３】
ステップ３においては、制御装置３が地震速報受信器１２ｂから「地震速報信号」を受信していない場合には（Ｓ３の「Ｎ」）、ステップ１に戻る。一方、制御装置３が「地震速報信号」を受信した場合には（Ｓ３の「Ｙ」）、ステップ４に進む。
【００４４】
ステップ４においては、制御装置３が地震速報受信器１２ｂから「地震発生１０秒前信号」を受信していない場合には（Ｓ４の「Ｙ」）、ステップ５に進み、「地震発生１０秒前信号」を受信するまで待機する（Ｓ５の「Ｎ」）。そして、制御装置３は、「地震発生１０秒前信号」を受信した時点で（Ｓ５の「Ｙ」）、第１弁２ａを開放し、ジャッキ１０を低速でジャッキダウンさせる（Ｓ８）。
【００４５】
一方、ステップ４において、制御装置３が「地震速報信号」と同時に「地震発生１０秒前信号」を受信している場合（Ｓ４の「Ｎ」）には、ステップ６に進む。そして、ステップ６においては、制御装置３が地震速報受信器１２ｂから「地震発生２秒前信号」を受信していない場合には（Ｓ６の「Ｙ」）、ステップ７に進み、「地震発生２秒前信号」を受信するまで待機する（Ｓ７の「Ｎ」）。
【００４６】
そして、制御装置３は、「地震発生２秒前信号」を受信した時点で（Ｓ７の「Ｙ」）、第２弁２ｂを開放し、ジャッキ１０を中速でジャッキダウンさせる（Ｓ９）。なお、制御装置３が、「地震速報信号」と同時に、「地震発生１０秒前信号」と「地震発生２秒前信号」とを受信している場合（Ｓ６の「Ｎ」）には、制御装置３は、第３弁２ｃを開放し、ジャッキ１０を高速でジャッキダウンさせる（Ｓ１０）。
【００４７】
なお、図４に係るジャッキ制御装置１の制御方法は、一例であって、これに限定されない。例えば、地震発生２秒前や、地震発生１０秒前といった時間（２秒、１０秒）については、任意に変更することもできる。また、例えば、制御装置３は、「地震速報信号」を受信したら、すぐに、何れかの弁２ａ〜２ｃを開放し、ジャッキ１０をジャッキダウンさせてもよい。また、例えば、制御装置３は、火災報知設備からの火災信号や、風速検出器からの強風信号といった他の情報を取得することで、何れかの弁２ａ〜２ｃを開放し、ジャッキ１０をジャッキダウンさせてもよい。
【００４８】
以上より、本実施形態に係るジャッキ制御装置１は、上構造体２１と下構造体２２との間に配置されるジャッキ１０の内部から圧力媒体を流出させるために、前記圧力媒体が内部を流れる少なくとも一つの弁２ａ〜２ｃと、所定の情報を取得した際に、前記ジャッキ１０の内部から前記圧力媒体が流出するように、前記弁２ａ〜２ｃを制御する制御装置３と、を備える。
【００４９】
斯かる構成によれば、制御装置３が、所定の情報を取得した際に、弁２ａ〜２ｃを制御することで、圧力媒体が弁２ａ〜２ｃの内部を流れる。これにより、上構造体２１と下構造体２２との間に配置されるジャッキ１０の内部から、圧力媒体が流出する。したがって、必要な状況に応じて、ジャッキ１０が上構造体２１を支持する状態から、免震装置２３が上構造体２１を支持する状態に切り替えることができる。
【００５０】
また、本実施形態に係るジャッキ制御装置１においては、前記制御装置３は、前記情報の種類に対応して、前記圧力媒体が流れる流路の有効開口面積を変更するように、前記弁２ａ〜２ｃを制御する、という構成である。
【００５１】
斯かる構成によれば、制御装置３が、所得した情報の種類に対応して、弁２ａ〜２ｃを制御するため、ジャッキシステム１００全体として圧力媒体が流れる流路の有効開口面積を、変更することができる。これにより、ジャッキ１０の内部から圧力媒体が流出する速度を変更することができるため、上構造体２１が下降する速度（ジャッキダウンの速度）を変更することができる。
【００５２】
また、本実施形態に係るジャッキ制御装置１においては、前記弁２ａ〜２ｃは、複数備えられると共に、前記ジャッキ１０の内部に対して並列に接続され、前記制御装置３は、前記情報の種類に対応して、複数の前記弁２ａ〜２ｃのうち、開放する弁２ａ〜２ｃを選択する、という構成である。
【００５３】
斯かる構成によれば、弁２ａ〜２ｃは、複数備えられると共に、ジャッキ１０の内部に対して並列に接続されている。そして、制御装置３が、取得した情報の種類に対応して、複数の弁２ａ〜２ｃのうち開放する弁２ａ〜２ｃを選択するため、開放する弁２ａ〜２ｃの数量を変更することにより、ジャッキシステム１００全体として圧力媒体が流れる流路の有効開口面積を、変更することができる。これにより、ジャッキ１０の内部から圧力媒体が流出する速度を変更することができるため、上構造体２１が下降する速度（ジャッキダウンの速度）を変更することができる。
【００５４】
また、本実施形態に係るジャッキ制御装置１は、前記ジャッキ１０の内部から前記圧力媒体を流出させる際に、前記圧力媒体が内部を流れる流路部２ｉ〜２ｋと、前記流路部２ｉ〜２ｋが着脱される本体２ｌと、を備える、という構成である。
【００５５】
斯かる構成によれば、ジャッキ１０の内部から圧力媒体が流出する際に、圧力媒体が流路部２ｉ〜２ｋの内部を流れる。そして、流路部２ｉ〜２ｋが本体２ｌに対して着脱されるため、例えば、有効開口面積の異なる複数の流路部２ｉ〜２ｋを準備しておき、適切な流路部２ｉ〜２ｋを本体２ｌに装着することで、上構造体２１が下降する速度（ジャッキダウンの速度）を所望の速度にすることができる。
【００５６】
なお、ジャッキ制御装置１は、上記した実施形態の構成に限定されるものではなく、また、上記した作用効果に限定されるものではない。また、ジャッキ制御装置１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５７】
また、上記実施形態に係るジャッキ制御装置１は、弁２ａ〜２ｃを複数備えている、という構成である。しかしながら、ジャッキ制御装置１は、斯かる構成に限られない。例えば、図５に示すように、ジャッキ制御装置１は、弁２ｍを一つ備えている、という構成でもよい。図５に係る弁２ｍは、圧力媒体が流れる流路の有効開口面積を変更可能とすべく、開度が変更できる流調弁である。
【００５８】
斯かる構成によれば、制御装置３が、取得した情報の種類に対応して、弁２ｍの開度を制御するため、ジャッキシステム１００全体として圧力媒体が流れる流路の有効開口面積を、変更することができる。これにより、ジャッキ１０の内部から圧力媒体が流出する速度を変更することができるため、上構造体２１が下降する速度（ジャッキダウンの速度）を変更することができる。
【００５９】
なお、図５に係る弁２ｍは、全閉と全開との二つの状態のみの間で切り替えられる弁としてもよい。但し、斯かる構成においては、上構造体２１が下降する速度（ジャッキダウンの速度）は、変更することができず、一定となる。
【００６０】
また、上記実施形態に係るジャッキ制御装置１においては、弁２ａ〜２ｃは、開閉弁である、という構成である。しかしながら、ジャッキ制御装置１は、斯かる構成に限られない。例えば、図６に示すように、ジャッキ制御装置１においては、弁２ｎ〜２ｐは、開放する経路を内部で切り替える切替弁（図６においては、三方弁）である、という構成でもよい。
【００６１】
例えば、第１弁２ｎは、流出入部１３と第１経路２ｄとを連通する状態と、流出入部１３と流入部１４及び流出部１５とを連通する状態と、に切り替える。また、第２弁２ｏは、流出入部１３と第２経路２ｅとを連通する状態と、流出入部１３と流入部１４及び流出部１５とを連通する状態と、に切り替える。そして、第３弁２ｐは、流出入部１３と第３経路２ｆとを連通する状態と、流出入部１３と流入部１４及び流出部１５とを連通する状態と、に切り替える。
【００６２】
また、上記実施形態に係るジャッキ制御装置１においては、制御装置３は、所定の情報を取得した際に、一つの弁２ａ〜２ｃを開放する、という構成である。しかしながら、ジャッキ制御装置１は、斯かる構成に限られない。例えば、ジャッキ制御装置１においては、制御装置３は、所定の情報を取得した際に、複数の弁２ａ〜２ｃを開放する、という構成でもよい。
【００６３】
斯かる構成によれば、各経路２ｄ〜２ｆの有効開口面積が同じである構成であっても、開放する弁２ａ〜２ｃの数量を変更することで、ジャッキシステム１００全体として圧力媒体が流れる流路の有効開口面積を、変更することができる。即ち、ジャッキ制御装置１においては、第１〜第３流路部２ｉ〜２ｋの有効開口面積は、同じである、という構成でもよい。
【００６４】
なお、例えば、ジャッキ制御装置１においては、制御装置３は、所定の情報を取得した際に、必ず複数の弁２ａ〜２ｃを開放する、という構成でもよい。斯かる構成によれば、所定の弁が何らかの原因で開放できなかった場合でも、他の弁が開放しているため、ジャッキ１０を確実にジャッキダウンさせることができる。
【００６５】
また、上記実施形態に係るジャッキ制御装置１は、他のジャッキ制御装置１と共通の送信装置１２から情報を取得する、という構成である。しかしながら、ジャッキ制御装置１は、斯かる構成に限られない。例えば、送信装置１２は、一つのジャッキ制御装置１に一つ備えられている、という構成でもよい。
【００６６】
また、上記実施形態に係るジャッキ１０は、上躯体２１ａと下躯体２２ａとの間に配置されている、という構成である。しかしながら、ジャッキ１０は、斯かる構成に限られない。例えば、ジャッキ１０は、上構造体２１の構造本体２１ｂと下構造体２２の構造本体２２ｂとの間に配置されている、という構成でもよい。
【符号の説明】
【００６７】
１…ジャッキ制御装置、２…弁装置、２ａ…第１弁、２ｂ…第２弁、２ｃ…第３弁、２ｄ…第１経路、２ｅ…第２経路、２ｆ…第３経路、２ｇ…分岐部、２ｈ…合流部、２ｉ…第１流路部、２ｊ…第２流路部、２ｋ…第３流路部、２ｌ…本体、２ｍ…弁、２ｎ…第１弁、２ｏ…第２弁、２ｐ…第３弁、３…制御装置、３ａ…取得部、３ｂ…記憶部、３ｃ…演算部、３ｄ…制御部、４…第１接続部、５…第２接続部、１０…ジャッキ、１０ａ…ジャッキ本体、１０ｂ…可動体、１１…ジャッキ駆動装置、１２…送信装置、１２ａ…地震検出器、１２ｂ…地震速報受信器、１２ｃ…操作部、１３…流出入部、１４…流入部、１４ａ…ポンプ、１４ｂ…逆止弁、１５…流出部、１５ａ…流出弁、１６…タンク、２０…建物、２１…上構造体、２１ａ…上躯体、２１ｂ…構造本体、２２…下構造体、２２ａ…下躯体、２２ｂ…構造本体、２３…免震装置、１００…ジャッキシステム
【図１】
2018131322.tif 000003
【図２】
2018131322.tif 000004
【図３】
2018131322.tif 000005
【図４】
2018131322.tif 000006
【図５】
2018131322.tif 000007
【図６】
2018131322.tif 000008